【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
取水口から送水口へ連通して洗浄水を通流させる主流路と、前記主流路の開閉を行う差圧移動式のピストンバルブと、一端が前記ピストンバルブの移動空間となるシリンダ室の外壁に開口形成された第１開口孔を介して前記シリンダ室と連通すると共に他端が前記主流路の前記ピストンバルブが配設される位置よりも下流側となる位置に開口形成された第２開口孔を介して前記主流路と連通する副流路と、前記副流路を開閉する副電磁弁と、が設けられた本体部、ならびに、使用者を感知するセンサおよび前記センサの感知信号により前記副電磁弁の駆動を行う駆動制御部、を壁内もしくは壁近傍部に備えて、前記副電磁弁の駆動により前記副流路が開通することで前記シリンダ室内が減圧されて前記ピストンバルブが移動して前記主流路が開通することによって前記洗浄水が通流して便器の自動洗浄を行う自動洗浄装置の改装方法であって、
前記センサおよび前記駆動制御部を取外す工程と、
前記本体部から前記シリンダ室の開口端部を密閉している密閉蓋を取外した後、前記シリンダ室から前記ピストンバルブを取外す工程と、
前記本体部から前記副流路の全部もしくは一部および前記副電磁弁を取外して、前記第２開口孔を露出させる工程と、
止水プラグを前記本体部に固定し、前記止水プラグによって前記第２開口孔の封止を行う工程と、
前記主流路の開閉を行う電磁弁を直接もしくはアダプタを介在させて前記シリンダ室に挿入して、前記電磁弁を前記本体部に固定する工程と、
前記電磁弁によって、または、前記電磁弁および封止部材によって、前記シリンダ室の開口端部および前記第１開口孔の封止を行う工程と、を備えて、
前記主流路の開閉を行う機構を、前記差圧移動式のピストンバルブから前記電磁弁に切替えを行う方法であり、
前記電磁弁を前記本体部に固定する工程は、
回動工具の回動力を前記電磁弁に伝達する着脱可能な工具連結治具を前記電磁弁に取付けた後、前記回動工具を前記工具連結治具に連結して回動することにより前記電磁弁を回動させて、前記電磁弁の外周部に設けられる雄ネジ部を、前記シリンダ室の内壁に設けられる雌ネジ部に螺合させることにより固定する工程であること
を特徴とする自動洗浄装置の改装方法。
【請求項２】
取水口から送水口へ連通して洗浄水を通流させる主流路と、前記主流路の開閉を行う差圧移動式のピストンバルブと、一端が前記ピストンバルブの移動空間となるシリンダ室の外壁に開口形成された第１開口孔を介して前記シリンダ室と連通すると共に他端が前記主流路の前記ピストンバルブが配設される位置よりも下流側となる位置に開口形成された第２開口孔を介して前記主流路と連通する副流路と、前記副流路を開閉する副電磁弁と、が設けられた本体部、ならびに、使用者を感知するセンサおよび前記センサの感知信号により前記副電磁弁の駆動を行う駆動制御部、を壁内もしくは壁近傍部に備えて、前記副電磁弁の駆動により前記副流路が開通することで前記シリンダ室内が減圧されて前記ピストンバルブが移動して前記主流路が開通することによって前記洗浄水が通流して便器の自動洗浄を行う自動洗浄装置の改装方法であって、
前記センサおよび前記駆動制御部を取外す工程と、
前記本体部から前記シリンダ室の開口端部を密閉している密閉蓋を取外した後、前記シリンダ室から前記ピストンバルブを取外す工程と、
前記主流路の開閉を行う電磁弁を直接もしくはアダプタを介在させて前記シリンダ室に挿入して、前記電磁弁を前記本体部に固定すると共に、前記シリンダ室の開口端部の封止を行う工程と、を備えて、
前記主流路の開閉を行う機構を、前記差圧移動式のピストンバルブから前記電磁弁に切替えを行う方法であり、
前記電磁弁を前記本体部に固定する工程は、
回動工具の回動力を前記電磁弁に伝達する着脱可能な工具連結治具を前記電磁弁に取付けた後、前記回動工具を前記工具連結治具に連結して回動することにより前記電磁弁を回動させて、前記電磁弁の外周部に設けられる雄ネジ部を、前記シリンダ室の内壁に設けられる雌ネジ部に螺合させることにより固定する工程であること
を特徴とする自動洗浄装置の改装方法。
【請求項３】
請求項１または請求項２記載の自動洗浄装置の改装方法に用いられる前記電磁弁であって、
前記シリンダ室の内壁の前記雌ネジ部に対して螺合可能な雄ネジ部を外周部に有する円筒状のベース部と、
前記ベース部の第１端部に固定キャップを介して固定されるソレノイド部と、
前記ベース部の内部に保持されると共に第２端部から突出させて設けられる弁部と、を備え、
前記固定キャップは、前記ソレノイド部を中心として挟み込む配置で前記工具連結治具を着脱可能に取付ける治具取付け部が設けられていること
を特徴とする電磁弁。
【請求項４】
前記治具取付け部は、前記ソレノイド部を前記固定キャップに固定する固定溝部と兼用で設けられていること
を特徴とする請求項３記載の電磁弁。
【請求項５】
前記固定溝部に周方向の両端において軸方向に形成される壁部が、前記回動工具によって回動される前記工具連結治具の回動力を受ける回動力作用部となること
を特徴とする請求項４記載の電磁弁。
【請求項６】
前記固定キャップは、樹脂材料を用いて形成されていること
を特徴とする請求項３〜５のいずれか一項に記載の電磁弁。
【請求項７】
前記弁部は、先端部において、外周に流入口、径方向中心に流出口がそれぞれ開口形成される共に、外周部において、前記シリンダ室の内壁との間でシールを行う部材として前記ベース部から近い側に第１シール部、前記ベース部から遠い側に第２シール部がそれぞれ嵌設されており、
前記第１シール部は、前記電磁弁が前記本体部の所定位置に固定された状態における前記本体部の前記第１開口孔の位置に対して、前記先端部寄りとなる位置に配置されていること
を特徴とする請求項３記載の電磁弁。
【請求項８】
前記弁部は、前記流入口から前記流出口へ連通して前記洗浄水を通流させる通流路と、前記通流路の開閉を行う差圧移動式のダイヤフラム弁と、一端が前記ダイヤフラム弁の移動空間となる弁箱に連通すると共に他端が前記ダイヤフラム弁の配設される位置よりも下流側となる位置で前記通流路に連通する排圧ドレン流路と、前記ソレノイド部の可動鉄芯に弁体が連結されて前記排圧ドレン流路を開閉するパイロット弁と、が設けられており、
前記排圧ドレン流路は、前記弁部における前記第１シール部と前記第２シール部との間の外周部に形成された外周流路を有し、
前記外周流路は、前記パイロット弁を間に介在させて前記弁箱に連通し、且つ、前記ダイヤフラム弁の配設される位置よりも下流側となる位置で前記通流路に連通していること
を特徴とする請求項７記載の電磁弁。
【請求項９】
請求項１または請求項２記載の自動洗浄装置の改装方法に用いられる前記工具連結治具
であって、
前記電磁弁のソレノイド部を中心として挟み込む配置で前記電磁弁の固定キャップに設けられた治具取付け部に着脱可能に取付ける脚部を有すると共に、前記脚部を前記固定キャップに取付けた状態で前記電磁弁の軸心と前記回動工具の軸心とが一致する配置で前記回動工具を連結させる連結部を有すること
を特徴とする工具連結治具。
【請求項１０】
板状部材を曲折させたコ字状に形成されており、二つの側壁部の先端部に前記脚部が設けられていること
を特徴とする請求項９記載の工具連結治具。
【請求項１１】
前記側壁部から径方向内方に向かって突出する傾斜防止ストッパが設けられており、
前記傾斜防止ストッパは、前記連結部の軸心が前記電磁弁の軸心と一致している際に前記電磁弁のステーに当接せず、前記連結部の軸心が前記電磁弁の軸心からずれるように傾いた際に前記ステーに当接可能となるように配設されていること
を特徴とする請求項１０記載の工具連結治具。
【請求項１２】
前記連結部は、前記回動工具としての六角レンチが連結可能な六角形状の連結孔もしくは連結溝を有していること
を特徴とする請求項９〜１１のいずれか一項に記載の工具連結治具。
【請求項１３】
請求項１または請求項２記載の自動洗浄装置の改装方法に用いられる前記アダプタであって、
前記シリンダ室の内壁に設けられた雌ネジ部に対して螺合可能な雄ネジ部を外周部に有し、且つ、前記電磁弁の外壁に設けられた雄ネジ部に対して螺合可能な雌ネジ部を内周部に有し、
外周部において、前記シリンダ室の内壁との間でシールを行う部材としてシール部が嵌設されており、
前記シール部は、前記アダプタが前記本体部の所定位置に固定された状態における前記本体部の前記第１開口孔の位置に対して、第２端部寄りとなる位置に配置されていること
を特徴とするアダプタ。
【請求項１４】
取水口から送水口へ連通して洗浄水を通流させる主流路と、前記主流路の開閉を行う差圧移動式のピストンバルブと、一端が前記ピストンバルブの移動空間となるシリンダ室の外壁に開口形成された第１開口孔を介して前記シリンダ室と連通すると共に他端が前記主流路の前記ピストンバルブが配設される位置よりも下流側となる位置に開口形成された第２開口孔を介して前記主流路と連通する副流路と、前記副流路を開閉する副電磁弁と、が設けられた本体部、ならびに、使用者を感知するセンサおよび前記センサの感知信号により前記副電磁弁の駆動を行う駆動制御部、を壁内、壁近傍部、便器の本体、もしくは前記本体の上部に嵌設される蓋に備えて、前記副電磁弁の駆動により前記副流路が開通することで前記シリンダ室内が減圧されて前記ピストンバルブが移動して前記主流路が開通することによって前記洗浄水が通流して前記便器の自動洗浄を行う自動洗浄装置の改装方法として、
前記センサおよび前記駆動制御部を取外す、もしくはそれらへの配線を切離して機能停止する工程と、
前記本体部から前記シリンダ室の開口端部を密閉している密閉蓋を取外した後、前記シリンダ室から前記ピストンバルブを取外す工程と、
前記主流路の開閉を行う電磁弁を直接もしくはアダプタを介在させて前記シリンダ室に挿入して、前記電磁弁を前記本体部に固定すると共に、前記シリンダ室の開口端部の封止を行う工程と、を備えて、
前記主流路の開閉を行う機構を、前記差圧移動式のピストンバルブから前記電磁弁に切替えを行う自動洗浄装置の改装方法に用いられる前記電磁弁であって、
前記シリンダ室の内壁の雌ネジ部に対して螺合可能な雄ネジ部を外周部に有する円筒状のベース部と、
前記ベース部の第１端部に固定キャップを介して固定されるソレノイド部と、
前記ベース部の内部に保持されると共に第２端部から突出させて設けられる弁部と、を備え、
前記弁部は、先端部において、外周に流入口、径方向中心に流出口がそれぞれ開口形成される共に、外周部において、前記シリンダ室の内壁との間でシールを行う部材として前記ベース部から近い側に第１シール部、前記ベース部から遠い側に第２シール部がそれぞれ嵌設されており、
前記第１シール部は、前記電磁弁が前記本体部の所定位置に固定された状態における前記本体部の前記第１開口孔の位置に対して、前記先端部寄りとなる位置に配置されていること
を特徴とする電磁弁。
【請求項１５】
前記弁部は、前記流入口から前記流出口へ連通して前記洗浄水を通流させる通流路と、前記通流路の開閉を行う差圧移動式のダイヤフラム弁と、一端が前記ダイヤフラム弁の移動空間となる弁箱に連通すると共に他端が前記ダイヤフラム弁の配設される位置よりも下流側となる位置で前記通流路に連通する排圧ドレン流路と、前記ソレノイド部の可動鉄芯に弁体が連結されて前記排圧ドレン流路を開閉するパイロット弁と、が設けられており、
前記排圧ドレン流路は、前記弁部における前記第１シール部と前記第２シール部との間の外周部に形成された外周流路を有し、
前記外周流路は、前記パイロット弁を間に介在させて前記弁箱に連通し、且つ、前記ダイヤフラム弁の配設される位置よりも下流側となる位置で前記通流路に連通していること
を特徴とする請求項１４記載の電磁弁。